(57)【特許請求の範囲】
【請求項１】
容器体口頸部１外面へ嵌合させる装着筒部21を起立筒部２の下端に付設するとともに、その起立筒部２の上端からノズル嵌合筒７を前端に有する射出筒部４を、又起立筒部２の中間部からシリンダ３を、更に該シリンダ３底壁から、容器体内部に連通した組付嵌合筒3aを、それぞれ前方突出した本体部材Ａと、
上記射出筒部４の前部へ枢着させて前後方向へ揺動可能に垂下し、かつ前方付勢されたトリガーＢと、
上記シリンダ３に嵌挿された周壁の前部に、容器体内部と連通する外気導入孔11を有し、かつその底部から前方へ突出させた弁部材嵌合筒９を、上記組付嵌合筒3a外面に嵌合させたアタッチメントシリンダＣと、
上記アタッチメントシリンダ内へ嵌合されて、前方突出するピストン棒12前端部をトリガー上部へ連結させた筒状ピストンＤと、
上記弁部材嵌合筒９に嵌合させた筒状弁部材13と、
を有し、
かつ、上記アタッチメントシリンダＣの底部に起立筒部２への連通孔10ａを形成するとともに、上記筒状弁部材13の外周部に付設した弾性変形自在なスカート状壁16を、アタッチメントシリンダＣ内周面に圧接することで吐出弁Ｆを形成し、かつ上記該筒状弁部材13に複数の螺状ばね片14により連結した弁板15で、筒状弁部材の前端の弁孔を開閉自在に設けて、これら弁板と弁孔とで吸込み弁Ｅを形成したことを特徴とする、トリガー式液体噴出器。
【請求項２】
容器体口頸部１外面へ嵌合させる装着筒部２１を起立筒部２の下端に付設すると共に、その起立筒部２の中間部からシリンダ３を、かつ起立筒部２の上端からノズル嵌合筒７を前端に有する射出筒部４を、それぞれ前方突出した本体部材Ａと、
射出筒部４の前部へ枢着させて前後方向へ揺動可能に垂下し、かつ前方付勢されたトリガーＢと、
シリンダ３に嵌挿されると共に、その底部から前方突出させた弁部材嵌合筒９をシリンダ底壁から前方突出する、容器体内部に連通した組付嵌合筒外面３ａに嵌合させたアタッチメントシリンダＣと、
アタッチメントシリンダ内へ嵌合されて、前方突出するピストン棒１２前端部をトリガー上部後面へ枢着させた筒状ピストンＤと、
弁部材嵌合筒９外面に嵌合させた筒状弁部材１３に複数の螺状ばね片１４により連結した、該弁部材嵌合筒９前端の弁孔を開閉自在な弁板１５と該弁孔とで形成した吸込み弁Ｅと、
筒状弁部材１３の外周面に付設された、アタッチメントシリンダ内周面に圧接する弾性変形自在なスカート状壁１６とアタッチメントシリンダＣ底部に形成した起立筒部２への連通孔１０ａとで形成した吐出弁Ｆと、
シリンダ周壁に形成した、シリンダ基部近傍に位置する第１外気導入孔３ｂと、シリンダ内周面とアタッチメントシリンダ外周面との間の前後端閉塞の隙間を介して第１外気導入孔３ｂに連通する、アタッチメントシリンダＣ前部に形成した第２外気導入孔１１とを有し、筒状ピストンＤが前限又は前限近傍に位置する時に閉弁状態となる容器体内部への外気導入弁Ｇとを有する
ことを特徴とするトリガー式液体噴出器。
【請求項３】
アタッチメントシリンダＣの前端はシリンダ３の前端と、またアタッチメントシリンダＣの後端はシリンダ３の後端とそれぞれ係合自在であると共に、該アタッチメントＣの両端間における外径はシリンダ３の両端間における内径よりも小であることを特徴とする請求項１又は２記載のトリガー式液体噴出器。
【請求項４】
アタッチメントシリンダＣの弁部材嵌合筒９の前部は後部よりも縮径されていることを特徴とする請求項１、２又は３記載のトリガー式液体噴出器。
【発明の詳細な説明】
【０００１】
【発明の属する技術分野】
本発明はトリガー式液体噴出器に関する。
【０００２】
【従来の技術】
例えば特願平８−２３１４２９号が示すように、容器体口頸部外面へ嵌合させる装着筒部を起立筒部の下端に付設すると共に、その起立筒部の中間部からシリンダを、かつ起立筒部の上端から射出筒部を、それぞれ前方突出し、射出筒部の前部ヘトリガーを枢着させて垂下し、シリンダ内へ嵌合されて前方突出する筒状ピストン前端部をトリガー上部後面へ枢着させ、シリンダ底壁から前方突出する弁部材嵌合筒外面に筒状弁部材を嵌合させると共に、該筒状弁部材に複数の螺状ばね片により連結した弁板を該弁部材嵌合筒前端の弁孔に開閉自在に設けて吸込み弁を形成し、筒状弁部材の外周面にシリンダ内周面に圧接する弾性変形自在なスカート状壁を設けて吐出弁を形成し、さらにシリンダ周壁の基部近傍に外気導入孔を形成して筒状ピストンが前限又は前限近傍に位置する時に閉弁状態となる容器体内部への外気導入弁を設けたトリガー式液体噴出器が知られている。
【０００３】
【発明が解決しようとする課題】
上記従来のトリガー式液体噴出器では、シリンダ底壁から前方突出する弁部材嵌合筒外面に筒状弁部材を嵌合すると共に該筒状弁部材に連結された弁板を弁孔に組み付ける必要があるが、シリンダ内径は小さく、筒状弁部材及び弁板等の部材も小さいため、これらを弁部材嵌合筒に組み付けることはそれ程容易ではなく、しかもこのような作業は噴出器本体を適当な治具により固定して行う必要があることから作業効率が悪いものとなっていた。
【０００４】
また、上記従来例では外気導入孔は、容器体口頸部へ連通させる必要があることからシリンダ基部近傍に形成されているため、筒状ピストン後端はその前限位置においてシリンダ基部近傍にまで達している必要があり、そのためシリンダの実質容積が縮減される結果となっていた。
【０００５】
さらに、外気導入孔がシリンダ基部近傍に位置しているため、筒状ピストンの後限から前限までのストロークが短く、そのため容器体内部への外気導入が不十分となる場合があった。
【０００６】
請求項１及び２記載のトリガー式液体噴出器は、アタッチメントシリンダに弁部材嵌合筒を形成し、これに筒状弁部材等を組み付け、組付後のアタッチメントシリンダをシリンダに単に嵌挿するのみにすることにより作業効率の改善を図ると共に、第２外気導入孔をアタッチメントシリンダの前部に設けることにより前限位置における筒状ピストン後端をアタッチメントシリンダ前部よりも後方にまで延出させる必要がないためシリンダの実質容積が縮減されることがなく、さらに十分なる外気導入を図る。
【０００７】
請求項３記載のトリガー式液体噴出器は、上記請求項１又は２記載の液体噴出器が有する解決課題を有するほか、アタッチメントシリンダ外径をシリンダ内径よりも小さくすることによって両者間に隙間を形成することにより容器体内への外気導入路を形成している。
【０００８】
請求項４記載のトリガー式液体噴出器は、上記請求項１、２又は３記載の液体噴出器が有する解決課題を有するほか、アタッチメントシリンダの弁部材嵌合筒の前部を後部よりも縮径することにより、シリンダに対するアタッチメントシリンダの取付けを容易にすると共にシリンダの大型化を伴うことなく所定の実質容積を確保することができる。
【０００９】
第１の手段として、容器体口頸部１外面へ嵌合させる装着筒部21を起立筒部２の下端に付設するとともに、その起立筒部２の上端からノズル嵌合筒７を前端に有する射出筒部４を、又起立筒部２の中間部からシリンダ３を、更に該シリンダ３底壁から、容器体内部に連通した組付嵌合筒3aを、それぞれ前方突出した本体部材Ａと、
上記射出筒部４の前部へ枢着させて前後方向へ揺動可能に垂下し、かつ前方付勢されたトリガーＢと、
上記シリンダ３に嵌挿された周壁の前部に、容器体内部と連通する外気導入孔11を有し、かつその底部から前方へ突出させた弁部材嵌合筒９を、上記組付嵌合筒3a外面に嵌合させたアタッチメントシリンダＣと、
上記アタッチメントシリンダ内へ嵌合されて、前方突出するピストン棒12前端部をトリガー上部へ連結させた筒状ピストンＤと、
上記弁部材嵌合筒９に嵌合させた筒状弁部材13と、
を有し、
かつ、上記アタッチメントシリンダＣの底部に起立筒部２への連通孔10ａを形成するとともに、上記筒状弁部材13の外周部に付設した弾性変形自在なスカート状壁16を、アタッチメントシリンダＣ内周面に圧接することで吐出弁Ｆを形成し、かつ上記該筒状弁部材13に複数の螺状ばね片14により連結した弁板15で、筒状弁部材の前端の弁孔を開閉自在に設けて、これら弁板と弁孔とで吸込み弁Ｅを形成した。
【００１０】
第２の手段として、容器体口頸部１外面へ嵌合させる装着筒部２１を起立筒部２の下端に付設すると共に、その起立筒部２の中間部からシリンダ３を、かつ起立筒部２の上端からノズル嵌合筒７を前端に有する射出筒部４を、それぞれ前方突出した本体部材Ａと、
射出筒部４の前部へ枢着させて前後方向へ揺動可能に垂下し、かつ前方付勢されたトリガーＢと、
シリンダ３に嵌挿されると共に、その底部から前方突出させた弁部材嵌合筒９をシリンダ底壁から前方突出する、容器体内部に連通した組付嵌合筒外面３ａに嵌合させたアタッチメントシリンダＣと、
アタッチメントシリンダ内へ嵌合されて、前方突出するピストン棒１２前端部をトリガー上部後面へ枢着させた筒状ピストンＤと、
弁部材嵌合筒９外面に嵌合させた筒状弁部材１３に複数の螺状ばね片１４により連結した、該弁部材嵌合筒９前端の弁孔を開閉自在な弁板１５と該弁孔とで形成した吸込み弁Ｅと、
筒状弁部材１３の外周面に付設された、アタッチメントシリンダ内周面に圧接する弾性変形自在なスカート状壁１６とアタッチメントシリンダＣ底部に形成した起立筒部２への連通孔１０ａとで形成した吐出弁Ｆと、
シリンダ周壁に形成した、シリンダ基部近傍に位置する第１外気導入孔３ｂと、シリンダ内周面とアタッチメントシリンダ外周面との間の前後端閉塞の隙間を介して第１外気導入孔３ｂに連通する、アタッチメントシリンダＣ前部に形成した第２外気導入孔１１とを有し、筒状ピストンＤが前限又は前限近傍に位置する時に閉弁状態となる容器体内部への外気導入弁Ｇとを有する。
【００１１】
第３の手段として、上記第１又は第２の手段を有すると共に、アタッチメントシリンダＣの前端はシリンダ３の前端と、またアタッチメントシリンダＣの後端はシリンダ３の後端とそれぞれ係合自在であると共に、該アタッチメントＣの両端間における外径はシリンダ３の両端間における内径よりも小である。
【００１２】
第４の手段として、上記第１、第２又は第３の手段を有すると共に、アタッチメントシリンダＣの弁部材嵌合筒９の前部は後部よりも縮径されている。
【００１３】
【発明の実施の形態】
以下、本発明の実施の形態を図面を参照しながら説明する。
図１は本発明に係るトリガー式液体噴出器の断面図、図２は要部拡大図、図３はアタッチメントシリンダの斜視図、図４は筒状ピストンの斜視図、図５は筒状弁部材の斜視図である。
本発明に係るトリガー式液体噴出器は、本体部材Ａ、トリガーＢ、アタッチメントシリンダＣ、筒状ピストンＤ、吸込み弁Ｅ、吐出弁Ｆ及び外気導入弁Ｇを主たる構成要素とする。以下、これらについて順次説明する。
【００１４】
図中、Ａは本体部材で、装着筒部２１と起立筒部２とシリンダ３と射出筒部４等とから形成されている。
【００１５】
容器体口頸部１外面へ螺合させる装着筒部２１は、筒部上部を小外径の嵌合筒部とし、かつ該嵌合筒部上面を閉塞する頂壁中央部に上部を小径とする上端閉塞の筒部１ａを起立させて嵌合筒部より上方の筒部１ａ筒壁の大径部に後記組付嵌合筒３ａに連通する第１吸込孔２ａを形成させ、さらに該筒部外周を囲む頂壁部分に上面開口の環状凹溝を周設している。そして該装着筒部上面に、起立筒部２と、該起立筒部２の中間部から前方突出するシリンダ３と、起立筒部２の上端から前方突出する射出筒部４とを有する該本体部材Ａを嵌合させている。
【００１６】
起立筒部２は筒部１ａ外面へ嵌合され、起立筒部２上部内周面と筒部１ａ小径部外周面との間には環状空間が形成され、また上記嵌合筒部より上方の筒部２筒壁には第１吸込孔２ａと後記組付嵌合筒３ａに連通する第２吸込孔を形成させていると共に、該第２吸込孔より上方の筒壁には上記環状空間と連通する第１吐出孔を形成させている。
【００１７】
シリンダ３はその底壁中央部から第１吸込孔２ａに連通する前後面開放の組付嵌合筒３ａを前方突出すると共に底壁に上記第１吐出孔を有し、さらにシリンダ基部近傍の周壁に第１外気導入孔３ｂを形成している。
【００１８】
さらに、本体部材Ａは、その上面及び左右両側面、並びに後方を、本体部材Ａと一体成形したカバー５で覆っており、起立筒部２下端内側壁を上記環状凹溝内へ嵌合させると共に、起立筒部２下端を囲んで起立筒部下端外側壁及びシリンダ下面から垂下させた補助筒６を装着筒部２１上部の上記小外径嵌合筒部部分外面へ嵌合させている。なお、該補助筒６外径は装着筒部２１の下半部よりも小外径としている。７は射出筒部４前端に嵌着させたノズル筒である。
【００１９】
Ｂはトリガーで、射出筒部４前部へ枢着させて垂下させ、後記アタッチメントシリンダＣ内へ嵌合させた後記筒状ピストンＤ前端をその上部後方部分へ枢着させている。該トリガーＢにつきさらに詳述すると、該トリガーＢは、前板の左右両側から左右両側板を後方突出し、またその左右両側板を上方へ延長してその上端内面から射出筒部４前部の左右両側に穿設した軸穴嵌合用の大短軸２２を内方突出し、さらに前板上部を開口して該開口周縁から後方へ筒２３を突設し、さらに該筒後端の左右両部から小短軸を内方突設している。
【００２０】
該トリガーＢを前方付勢する板バネ８はその後端を補助筒６の前部に係合させると共に前端をトリガー前板下部に押当させており、トリガー引寄せによりアタッチメントシリンダ内液体が後記連通孔１０ａ及び第１吐出孔を通ってノズル嵌合筒７から噴出され、またトリガー復帰により第１及び第２吸込孔から組付嵌合筒３ａ及び後記弁部材嵌合筒９を通ってアタッチメントシリンダＣ内へ容器体内液体を吸い込むよう設けられている。
【００２１】
Ｃはシリンダ３に嵌挿されたアタッチメントシリンダで、図３にも示すように有底円筒体からなり、その底部中央部から弁部材嵌合筒９を前方突出すると共に、その前端に外向きフランジ１０を有している。弁部材嵌合筒９は前部が縮径され、大径部を組付嵌合筒３ａ外面に嵌合させると共に外向きフランジ１０をシリンダ３前面に係合させている。アタッチメントシリンダＣの前後両端間における外径はシリンダ３の前後両端間における内径よりも小さく、アタッチメントシリンダＣの外周面とシリンダ３の内周面との間に隙間が形成されるようになっている。この隙間はアタッチメントシリンダＣの前部周壁に穿設した第２外気導入孔１１と第１外気導入孔３ｂとを連通させるためのもので、アタッチメントシリンダ内負圧化時に第２及び第１外気導入孔から容器体内に空気が導入されるようになっている。該アタッチメントシリンダＣはさらにその底部に起立筒部２の第１吐出孔と連通する連通孔１０ａを有している。
【００２２】
ＤはアタッチメントシリンダＣ内に嵌合された筒状ピストンで、アタッチメントシリンダＤから前方突出するピストン棒１２前端部をトリガー上部後方部分へ枢着させている。該筒状ピストンＤについてさらに説明すると、図４に示すように、ピストン棒１２は前向き段部を介して順次小径化した複数筒部を介して前端筒部の前壁中央から棒部を突出し、かつその棒部前端を厚肉の板状部となし、その板状部後部の左右両側に軸穴２４を、またその板状部前端の左右両側に上記小短軸ガイド用の斜面溝２５を、それぞれ形成している。
【００２３】
Ｅは吸込み弁で、図５にも示すように、弁部材嵌合筒９の外面へ嵌合させた筒状弁部材１３に複数の螺状ばね片１４により連結した弁板１５を弁部材嵌合筒９前端の弁孔に開閉自在に設けることにより形成させている。
【００２４】
Ｆは吐出弁で、筒状弁部材１３の外周面に付設した弾性変形自在なスカート状壁１６の後端をアタッチメントシリンダＣの内周面に圧接させ、トリガー引寄せによりアタッチメントシリンダＣ内を高圧化し、これによってスカート状壁１６を内方に弾性変形させることによりアタッチメントシリンダ内の液体を連通孔１０ａから吐出させるようにしている。
【００２５】
Ｇは外気導入弁で、第１外気導入弁孔３ｂと第２外気導入弁孔１１とを有し、筒状ピストンＤが前限又は前限近傍に位置する時に閉弁状態となる。
【００２６】
次に本実施形態の作用について説明する。
本実施形態に係るトリガー式液体噴出器において、シリンダ３に筒状弁部材１３等を装着するには、噴出器組立ラインとは異なった専用のライン等適所で、予めアタッチメントシリンダＣの弁部材嵌合筒９外面に筒状弁部材１３を嵌合すると共に弁板１５を弁孔に組み付けておき、シリンダ組立時に噴出器組立ラインにおいてシリンダ３内にアタッチメントシリンダＣを嵌挿し、しかる後筒状ピストンＤを嵌合し、ピストン棒１２の前端部をトリガーＢ上部後面に枢着する。
【００２７】
【発明の効果】
請求項１及び２記載のトリガー式液体噴出器は、筒状弁部材等を噴出器本体と一体のシリンダに直接組み付ける必要がなく、適所でアタッチメントシリンダに組み付ければよく、したがってアタッチメントシリンダや筒状弁部材等が小さい部材であってもそれに応じた治具や工具を任意に選択でき、しかもその選択の自由度が比較的大きいため、組立作業効率が向上する。
【００２８】
また、外気導入孔をアタッチメントシリンダの前部に設けることにより前限位置における筒状ピストン後端をアタッチメントシリンダ前部よりも後方にまで延出させる必要がないためシリンダの実質容積が縮減されることがない。
【００２９】
さらに、外気導入孔をアタッチメントシリンダの前部に設けることにより筒状ピストンの後限から前限までのストロークを長くすることができ、したがってその間において十分な外気導入量が得られる。
【００３０】
請求項３記載のトリガー式液体噴出器は、アタッチメントシリンダ外径をシリンダ内径よりも小さくすることによりアタッチメントシリンダを使用しても容易に容器体内への外気導入路を確保することができる。
【００３１】
請求項４記載のトリガー式液体噴出器は、アタッチメントシリンダの弁部材嵌合筒の前部を後部よりも縮径することにより、シリンダに対するアタッチメントシリンダの取付けを容易にすると共にシリンダの大型化を伴うことなく所定の実質容積を確保することができる。
【図面の簡単な説明】
【図１】  本発明に係トリガー式液体噴出器の断面図である。
【図２】同じく、要部拡大図である。
【図３】同じく、アタッチメントシリンダの斜視図である。
【図４】同じく、筒状ピストンの斜視図である。
【図５】同じく、筒状弁材の斜視図である。
【符号の説明】
１  口頸部
２  起立筒部
３  シリンダ
３ａ  組付嵌合筒
３ｂ  第１外気導入孔
４  射出筒部
７  ノズル嵌合筒
９  弁部材嵌合筒
１０ａ  連通孔
１１  第２外気導入孔
１２  ピストン棒
１３  筒状弁部材
１４  螺状ばね片
１５  弁板
１６  スカート状壁
２１  装着筒部
Ａ  本体部材
Ｂ  トリガー
Ｃ  アタッチメントシリンダ
Ｄ  筒状ピストン
Ｅ  吸込み弁
Ｆ  吐出弁
Ｇ  外気導入弁
【図１】
0003657379.tif 000002
【図２】
0003657379.tif 000003
【図３】
0003657379.tif 000004
【図４】
0003657379.tif 000005
【図５】
0003657379.tif 000006